(57)【要約】  無音押しキースイッチは、ベース体（１１０）、固定接触片（１２０）、可動接触片（１３０）、可動片（１４０）、第１バランスフレーム（１５０）、第２バランスフレーム（１６０）及びキーキャップ（１７０）を含む。可動片（１４０）は、頭部に設置される消音体（１４１）と、尾部に開設されるＵ字状溝（１４２）と、消音体（１４１）に隣接して開設される第１フック溝（１４３）とを含む。可動片（１４０）の消音体（１４１）端は、可動接触片（１３０）及び固定接触片（１２０）に当接する。第１バランスフレーム（１５０）と第２バランスフレーム（１６０）とは、互いに交差して重なり合い可能に枢着される。第１バランスフレーム（１５０）の上端及び第２バランスフレーム（１６０）の上端は、それぞれキーキャップ（１７０）の底部の両端に枢着される。第１バランスフレーム（１５０）及び第２バランスフレーム（１６０）は、Ｘ字状構造に形成される。可動片（１４０）、可動接触片（１３０）及び固定接触片（１２０）は、いずれも第１バランスフレーム（１５０）と第２バランスフレーム（１６０）との交差重合部位の間に位置する。第１バランスフレーム（１５０）と可動片（１４０）のＵ字状溝（１４２）との間には、弾性体（１８０）が連結される。上記技術方案は、簡単かつ巧妙で、安定的に押下可能であり、動作時に音が小さいほか、全体の厚さを薄くする。
2018533179.tif 000002
【特許請求の範囲】
【請求項１】
無音押しキースイッチであって、
ベース体、固定接触片、可動接触片、可動片、第１バランスフレーム、第２バランスフレーム及びキーキャップを含み、
前記固定接触片及び可動接触片は、互いに離間してベース体上に設置され、
前記固定接触片は、第１溶接脚及び固定接触点を有し、
前記可動接触片は、第２溶接脚及び可動接触点を有し、
前記第２溶接脚及び第１溶接脚は、いずれもベース体から外方に突出し
前記可動片は、頭部に設置される消音体と、尾部に開設されるＵ字状溝と、消音体に隣接して開設される第１フック溝とを含み、
前記可動片の消音体端は、可動接触片及び固定接触片に当接し、
前記第１バランスフレーム及び第２バランスフレームは、互いに交差して重なり合い可能に枢着され、
第１バランスフレームの下端及び第２バランスフレームの下端は、それぞれベース体の両端に枢着され、
第１バランスフレームの上端及び第２バランスフレームの上端は、それぞれキーキャップの底部の両端に枢着され、
第１バランスフレーム及び第２バランスフレームは、Ｘ字状構造に形成され、
前記可動片、可動接触片及び固定接触片は、いずれも第１バランスフレームと第２バランスフレームとの交差重合部位の間に位置し、
前記第１バランスフレームと可動片のＵ字状溝との間には、弾性体が連結され、
前記消音体は、軟質ゴムであり、
前記弾性体は、引張バネであることを特徴とする無音押しキースイッチ。
【請求項２】
前記第１バランスフレーム及び第２バランスフレームは、いずれもＵ字状に形成され、
前記第１バランスフレームは、第１クロスバー及び２つの第１リンクを含み、
前記第１クロスバーの両端のそれぞれから、第１枢着軸が外向きに延出して形成され、
第１枢着軸は、キーキャップに枢着され、
２つの前記第１リンクは、互いに平行となるとともに、それぞれ第１クロスバーの両端と一体成形して連結され、
２つの第１リンクの後端の内側のそれぞれから、第２枢着軸が延出して形成され、
第２枢着軸は、ベース体に枢着され、
前記第２バランスフレームは、第２クロスバー及び２つの第２リンクを含み、
前記第２クロスバーの両端のそれぞれから、第３枢着軸が外向きに延出して形成され、
第３枢着軸は、キーキャップに枢着され、
２つの前記第２リンクは、互いに平行となるとともに、それぞれ第２クロスバーの両端と一体成形して連結され、
２つの第２リンクの後端の内側から、第４枢着軸が延出して形成され、
第４枢着軸は、ベース体に枢着され、
２つの第２リンクは、それぞれ２つの第１リンクの内側に対応して位置し、
２つの第２リンクの中部は、それぞれ２つの第１リンクの中部に対応して枢着され、
前記第１クロスバーの第２クロスバーに面する一方側には、第２フック溝が設置され、
前記第２クロスバーの第１クロスバーに面する一方側には、突起が設置され、
前記第２フック溝と突起とは、対向して設置され、
前記弾性体の両端は、それぞれ可動片の第１フック溝及び第１バランスフレームの第２フック溝に掛止されることで可動片を動かすことを特徴とする請求項１に記載の無音押しキースイッチ。
【請求項３】
前記第２リンクの後端の表面には、第１嵌設溝が凹設され、
前記第２リンクの前端の内側には、第２嵌設溝が凹設され、
重合状態において、前記第１リンクの前半部分は前記第１嵌設溝内に嵌められ、前記第１リンクの後半部分は前記第２嵌設溝内に嵌められることを特徴とする請求項２に記載の無音押しキースイッチ。
【請求項４】
前記第１リンクの中部の外側から、第５枢着軸が外向きに延出して形成され、
前記第２リンクには、枢着孔が前記第５枢着軸に対応して設置され、
前記第５枢着軸は、前記枢着孔内に挿入されて枢着されることを特徴とする請求項３に記載の無音押しキースイッチ。
【請求項５】
前記ベース体には、第１枢着溝及び第２枢着溝が凹設され、
前記第２枢着軸及び第４枢着軸は、それぞれ第１枢着溝及び第２枢着溝内に対応して嵌め込まれることを特徴とする請求項４に記載の無音押しキースイッチ。
【請求項６】
前記キーキャップには、係止孔が設置され、
前記ベース体の前記係止孔に対応する箇所には、係止歯が設置され、
前記係止孔と係止歯とが係止することで、キーキャップをベース体に着脱可能に係合させることを特徴とする請求項５に記載の無音押しキースイッチ。
【請求項７】
前記第１バランスフレーム及び第２バランスフレームは、ベース体の外周に位置することを特徴とする請求項６に記載の無音押しキースイッチ。
【発明の詳細な説明】
【技術分野】
【０００１】
本発明は、押しキースイッチの技術分野に関し、特に、無音押しキースイッチに関する。
【背景技術】
【０００２】
押しキースイッチとは、キーボードに取り付けられ、キーボードに適用するスイッチである。このようなスイッチの主な構成としては、ベース台、上蓋、固定接触片、可動接触片及び押しキーを有する。また、前記上蓋及びベース台で囲まれて形成される収容室内には、前記固定接触片、可動接触片及び押しキーが設置される。なお、前記押しキーの一端は、収容室外に露出する。押しキーを押圧する操作をして押しキーを上下動させることで、押しキーによる作用を受ける可動接触片を固定接触片に接続したり離脱したりし、その結果、キーボードのオン、オフを実現する。
【０００３】
上記従来の押しキースイッチの構成により、ユーザは、可動接触片と固定接触片との接続を遮断または導通することができる。上記押しキースイッチは、確かに進歩性を有するものである。しかしながら、実使用時において、押しキースイッチ自体の構成や使用性能には多くの欠陥が存在する。このため、従来の押しキースイッチは実用上で最適な使用効果や作業効率を奏することができない。なお、従来の押しキースイッチの欠点としては、以下の通りである。
【０００４】
従来の押しキースイッチの押しボタンがガイド柱の形態であり、製品の厚さが厚いほか、押しボタンが上蓋の底部の中央に取り付けられるため、上蓋の一方の側縁のみに手指をかけた場合に押しボタンを安定的に押下することができず、さらに、固定接触片と可動接触片との接続を導通することもできない。また、従来の押しキースイッチは、接続を導通した瞬間に音が発生し、ある場合において音が発生することによって騒々しくなり、他人の仕事や生活に支障をきたすため、静粛性が必要な場合に適さない。
【発明の概要】
【発明が解決しようとする課題】
【０００５】
上記問題を解決するために、本発明は、構造が簡単かつ巧妙で、安定的に押下可能であり、動作時に音が小さいほか、全体の厚さを薄くする無音押しキースイッチを提供する。
【課題を解決するための手段】
【０００６】
本発明が採用する技術方案は以下の通りである。すなわち、無音押しキースイッチは、ベース体、固定接触片、可動接触片、可動片、第１バランスフレーム、第２バランスフレーム及びキーキャップを含む。前記固定接触片及び可動接触片は、互いに離間してベース体上に設置される。前記固定接触片は、第１溶接脚及び固定接触点を有する。前記可動接触片は、第２溶接脚及び可動接触点を有する。前記第２溶接脚及び第１溶接脚は、いずれもベース体から外方に突出する。前記可動片は、頭部に設置される消音体と、尾部に開設されるＵ字状溝と、消音体に隣接して開設される第１フック溝とを含む。前記可動片の消音体端は、可動接触片及び固定接触片に当接する。前記第１バランスフレーム及び第２バランスフレームは、互いに交差して重なり合い可能に枢着される。第１バランスフレームの下端及び第２バランスフレームの下端は、それぞれベース体の両端に枢着される。第１バランスフレームの上端及び第２バランスフレームの上端は、それぞれキーキャップの底部の両端に枢着される。第１バランスフレーム及び第２バランスフレームは、Ｘ字状構造に形成される。前記可動片、可動接触片及び固定接触片は、いずれも第１バランスフレームと第２バランスフレームとの交差重合部位の間に位置する。前記第１バランスフレームと可動片のＵ字状溝との間には、弾性体が連結される。前記消音体は、軟質ゴムである。前記弾性体は、引張バネである。
【０００７】
上記技術方案に対するさらなる改良として、前記第１バランスフレーム及び第２バランスフレームは、いずれもＵ字状に形成される。前記第１バランスフレームは、第１クロスバー及び２つの第１リンクを含む。前記第１クロスバーの両端のそれぞれから、第１枢着軸が外向きに延出して形成される。第１枢着軸は、キーキャップに枢着される。２つの前記第１リンクは、互いに平行となるとともに、それぞれ第１クロスバーの両端と一体成形して連結される。２つの第１リンクの後端の内側のそれぞれから、第２枢着軸が延出して形成される。第２枢着軸は、ベース体に枢着される。前記第２バランスフレームは、第２クロスバー及び２つの第２リンクを含む。前記第２クロスバーの両端のそれぞれから、第３枢着軸が外向きに延出して形成される。第３枢着軸は、キーキャップに枢着される。２つの前記第２リンクは、互いに平行となるとともに、それぞれ第２クロスバーの両端と一体成形して連結される。２つの第２リンクの後端の内側から、第４枢着軸が延出して形成される。第４枢着軸は、ベース体に枢着される。２つの第２リンクは、それぞれ２つの第１リンクの内側に対応して位置する。２つの第２リンクの中部は、それぞれ２つの第１リンクの中部に対応して枢着される。前記第１クロスバーの第２クロスバーに面する一方側には、第２フック溝が設置される。前記第２クロスバーの第１クロスバーに面する一方側には、突起が設置される。前記第２フック溝と突起とは、対向して設置される。前記弾性体の両端は、それぞれ可動片の第１フック溝及び第１バランスフレームの第２フック溝に掛止されることで可動片を動かす。
【０００８】
上記技術方案に対するさらなる改良として、前記第２リンクの後端の表面には、第１嵌設溝が凹設される。前記第２リンクの前端の内側には、第２嵌設溝が凹設される。重合状態において、前記第１リンクの前半部分は前記第１嵌設溝内に嵌められ、前記第１リンクの後半部分は前記第２嵌設溝内に嵌められる。
【０００９】
上記技術方案に対するさらなる改良として、前記第１リンクの中部の外側から、第５枢着軸が外向きに延出して形成され。前記第２リンクには、枢着孔が前記第５枢着軸に対応して設置される。前記第５枢着軸は、前記枢着孔内に挿入されて枢着される。
【００１０】
上記技術方案に対するさらなる改良として、前記ベース体には、第１枢着溝及び第２枢着溝が凹設される。前記第２枢着軸及び第４枢着軸は、それぞれ第１枢着溝及び第２枢着溝内に対応して嵌め込まれる。
【００１１】
上記技術方案に対するさらなる改良として、前記キーキャップには、係止孔が設置される。前記ベース体の前記係止孔に対応する箇所には、係止歯が設置される。前記係止孔と係止歯とが係止することで、キーキャップをベース体に着脱可能に係合させる。
【００１２】
上記技術方案に対するさらなる改良として、前記第１バランスフレーム及び第２バランスフレームは、ベース体の外周に位置する。
【発明の効果】
【００１３】
本発明は以下の顕著な効果を奏する。まず、可動片の頭部に消音体を設置し、可動片が上下動すると、消音体が第１バランスフレーム及び第２バランスフレームに衝突することで緩和効果を果たし、スイッチの押圧時に発生する音を低減し、構造が簡単かつ巧妙である。次に、キーキャップの任意の位置に手指をかけた場合でも、第１バランスフレームと第２バランスフレームとが連動して可動片を動かし、安定的な押下操作を実現する。これにより、固定接触片と可動接触片との接続をよりスムーズに導通するほか、接触瞬間に音を発生することもなく、その結果、押しキースイッチの動作時の音をさらに低減する。次に、従来のガイド柱を用いる形態に代わって、第１バランスフレームと第２バランスフレームとを互いに交差させて重なり合わせ可能に枢着させ、第１バランスフレーム及び第２バランスフレームをＸ字状構造に形成するとともに、弾性体により可動片を動かすことで、製品全体の厚さを薄くし、製品の小型化の実現に有利である。最後に、消音体が軟質ゴムであるため、衝突に対して高い緩和性能を発揮することができ、消音効果が優れ、押しキースイッチの動作時の音の低減にさらに有利であり、他人の仕事や生活に支障をきたさないため、本発明は静粛性が必要な場合に適することができる。
【図面の簡単な説明】
【００１４】
【図１】本発明の分解図である。
【図２】本発明の部分組立図である。
【図３】本発明の可動接触片及び固定接触片の構成を示す図である。
【図４】本発明の可動片の構成を示す図である。
【図５】本発明の第１バランスフレーム及び第２バランスフレームの構成を示す図である。
【図６】本発明のベース体の構成を示す図である。
【図７】本発明のキーキャップの構成を示す図である。
【図８】本発明がオン状態にある場合を示す斜視図である。
【図９】本発明がオン状態にある場合の構成を示す図である。
【図１０】本発明がオン状態にある場合を示す断面図である。
【図１１】本発明がオフ状態にある場合を示す斜視図である。
【図１２】本発明がオフ状態にある場合の構成を示す図である。
【図１３】本発明がオフ状態にある場合を示す断面図である。
【発明を実施するための形態】
【００１５】
以下、本発明について、図面を参照しながら詳しく説明する。
【００１６】
図１及び図２は、それぞれ、本発明の分解図及び部分組立図である。図１及び図２に示すように、無音押しキースイッチ１００は、ベース体１１０、固定接触片１２０、可動接触片１３０、可動片１４０、第１バランスフレーム１５０、第２バランスフレーム１６０及びキーキャップ１７０を含む。固定接触片１２０及び可動接触片１３０は、互いに離間してベース体１１０上に設置される。第１バランスフレーム１５０及び第２バランスフレーム１６０は、ベース体１１０の外周に位置する。
【００１７】
図３は、本発明の可動接触片１３０及び固定接触片１２０の構成を示す図である。図３に示すように、固定接触片１２０は、第１溶接脚１２１及び固定接触点１２２を有する。可動接触片１３０は、第２溶接脚１３１及び可動接触点１３２を有する。第２溶接脚１３１及び第１溶接脚１２１は、いずれもベース体１１０から外方に突出する。
【００１８】
図４は、本発明の可動片１４０の構成を示す図である。図４に示すように、可動片１４０は、頭部に設置される消音体１４１と、尾部に開設されるＵ字状溝１４２と、消音体１４１に隣接して開設される第１フック溝１４３とを含む。可動片１４０の消音体１４１端は、可動接触片１３０及び固定接触片１２０に当接する。
【００１９】
図５は、本発明の第１バランスフレーム１５０及び第２バランスフレーム１６０の構成を示す図である。図５に示すように、第１バランスフレーム１５０と第２バランスフレーム１６０とは、互いに交差して重なり合い可能に枢着される。第１バランスフレーム１５０の下端及び第２バランスフレーム１６０の下端は、それぞれベース体１１０の両端に枢着される。第１バランスフレーム１５０の上端及び第２バランスフレーム１６０の上端は、それぞれキーキャップ１７０の底部の両端に枢着される。第１バランスフレーム１５０及び第２バランスフレーム１６０は、Ｘ字状構造に形成される。可動片１４０、可動接触片１３０及び固定接触片１２０は、いずれも第１バランスフレーム１５０と第２バランスフレーム１６０との交差重合部位の間に位置する。第１バランスフレーム１５０と可動片１４０のＵ字状溝１４２との間には、弾性体１８０が連結される。消音体１４１は、軟質ゴムであり、弾性体１８０は、引張バネである。
【００２０】
第１バランスフレーム１５０及び第２バランスフレーム１６０は、いずれもＵ字状に形成される。第１バランスフレーム１５０は、第１クロスバー１５１及び２つの第１リンク１５２を含む。第１クロスバー１５１の両端のそれぞれから、第１枢着軸１５３が外向きに延出して形成される。第１枢着軸１５３は、キーキャップ１７０に枢着される。２つの第１リンク１５２は、互いに平行となるとともに、それぞれ第１クロスバー１５１の両端と一体成形して連結される。２つの第１リンク１５２の後端の内側のそれぞれから、第２枢着軸１５４が延出して形成される。第２枢着軸１５４は、ベース体１１０に枢着される。第２バランスフレーム１６０は、第２クロスバー１６１及び２つの第２リンク１６２を含む。第２クロスバー１６１の両端のそれぞれから、第３枢着軸１６３が外向きに延出して形成される。第３枢着軸１６３は、キーキャップ１７０に枢着される。２つの第２リンク１６２は、互いに平行となるとともに、それぞれ第２クロスバー１６１の両端と一体成形して連結される。２つの第２リンク１６２の後端の内側のそれぞれから、第４枢着軸１６４が延出して形成される。第４枢着軸１６４は、ベース体１１０に枢着される。２つの第２リンク１６２は、それぞれ２つの第１リンク１５２の内側に対応して位置する。２つの第２リンク１６２の中部は、それぞれ２つの第１リンク１５２の中部に対応して枢着される。第１クロスバー１５１の第２クロスバー１６１に面する一方側には、第２フック溝１５５が設置される。第２クロスバー１６１の第１クロスバー１５１に面する一方側には、突起１６５が設置される。第２フック溝１５５と突起１６５とは、対向して設置される。弾性体１８０の両端は、それぞれ可動片１４０の第１フック溝１４３及び第１バランスフレーム１５０の第２フック溝１５５に掛止されることで可動片１４０を動かす。
【００２１】
第２リンク１６２の後端の表面には、第１嵌設溝１６６が凹設される。第２リンク１６２の前端の内側には、第２嵌設溝１６７が凹設される。重合状態において、第１リンク１５２の前半部分は第１嵌設溝１６６内に嵌められ、第１リンク１５２の後半部分は第２嵌設溝１６７内に嵌められる。
【００２２】
第１リンク１５２の中部の外側から、第５枢着軸１５６が外向きに延出して形成される。第２リンク１６２には、枢着孔１６８が第５枢着軸１５６に対応して設置される。第５枢着軸１５６は、枢着孔１６８内に挿入されて枢着される。
【００２３】
図６は、本発明のベース体１１０の構成を示す図である。図６に示すように、ベース体１１０には、第１枢着溝１１１及び第２枢着溝１１２が凹設される。第２枢着軸１５４及び第４枢着軸１６４は、それぞれ第１枢着溝１１１及び第２枢着溝１１２内に対応して嵌め込まれる。
【００２４】
図７は、本発明のキーキャップ１７０の構成を示す図である。図７に示すように、キーキャップ１７０には、係止孔１７１が設置される。ベース体１１０の前記係止孔１７１に対応する箇所には、係止歯１１３が設置される。係止孔１７１と係止歯１１３とが係止することで、キーキャップ１７０をベース体１１０に着脱可能に係合させる。
【００２５】
本発明は以下の顕著な効果を奏する。
まず、可動片１４０の頭部に消音体１４１を設置し、可動片１４０が上下動すると、消音体１４１が第１バランスフレーム１５０及び第２バランスフレーム１６０に衝突することで緩和効果を果たして、スイッチの押圧時に発生する音を低減し、構造が簡単かつ巧妙である。次に、キーキャップ１７０の任意の位置に手指をかけた場合でも、第１バランスフレーム１５０と第２バランスフレーム１６０とが連動して可動片１４０を動かし、安定的な押下操作を実現する。これにより、固定接触片１２０と可動接触片１３０との接続をよりスムーズに導通するほか、接触瞬間に音を発生することもなく、その結果、押しキースイッチ１００の動作時の音をさらに低減する。次に、従来のガイド柱を用いる形態に代わって、第１バランスフレーム１５０と第２バランスフレーム１６０とを互いに交差させて重なり合わせ可能に枢着させ、第１バランスフレーム１５０及び第２バランスフレーム１６０をＸ字状構造に形成するとともに、弾性体１８０により可動片１４０を動かすことで、製品全体の厚さを薄くし、製品の小型化の実現に有利である。最後に、消音体１４１が軟質ゴムであるため、衝突に対して高い緩和性能を発揮することができ、消音効果が優れ、押しキースイッチ１００の動作時の音の低減にさらに有利であり、他人の仕事や生活に支障をきたさないため、本発明は静粛性が必要な場合に適することができる。
【００２６】
本発明の組立過程は以下の通りである。まず、固定接触片１２０及び可動接触片１３０をそれぞれ上から下へ、ベース体１１０の対応する位置に挿入する。次に、可動接触片１３０と固定接触片１２０とを結合した後の左側に可動片１４０を配置し、可動片１４０の消音体１４１を可動接触片１３０及び固定接触片１２０に接触させる。次に、第１バランスフレーム１５０と第２バランスフレーム１６０とを互いに交差させて枢着させ、第２枢着軸１５４及び第４枢着軸１６４を、それぞれ第１枢着溝１１１及び第２枢着溝１１２内に対応して嵌め込むとともに、可動片１４０、可動接触片１３０及び固定接触片１２０を、第１バランスフレーム１５０及び第２バランスフレーム１６０を枢着させて形成されたキャビティ内かつ第２フック溝１５５と突起１６５との間に位置させ、弾性体１８０の両端を、それぞれ可動片１４０の第１フック溝１４３及び第１バランスフレーム１５０の第２フック溝１５５に掛止する。最後に、キーキャップ１７０を組み立てて、係止歯１１３を係止孔１７１内に係止するようにする。
【００２７】
本発明の動作原理は以下の通りである。図８は、本発明がオン状態にある場合を示す斜視図である。図９は、本発明がオン状態にある場合の構成を示す図。図１０は、本発明がオン状態にある場合を示す断面図である。
【００２８】
図８〜図１０に示すように、キーキャップ１７０を押圧すると、第１バランスフレーム１５０及び第２バランスフレーム１６０が力を受けた後に下向きに移動して重なり合うと同時に、弾性体１８０が引っ張られて可動片１４０を右方へ移動させることで、可動接触点１３２を固定接触点１２２に静かに接触して電気的に接続させ、押しキースイッチ１００がオン状態になる。この場合、可動片１４０の軟質ゴム消音体１４１が第１バランスフレーム１５０及び第２バランスフレーム１６０の下アームに衝突することで、衝突力を緩和して衝突による音を低減し、消音の目的を達成する。
【００２９】
図１１は、本発明がオフ状態にある場合を示す斜視図である。図１２は、本発明がオフ状態にある場合の構成を示す図である。図１３は、本発明がオフ状態にある場合を示す断面図である。
【００３０】
図１１〜図１３に示すように、キーキャップ１７０の押圧が解放されると、弾性体１８０は変形から復帰する。また、第１バランスフレーム１５０及び第２バランスフレーム１６０が弾性体１８０によって上向きに開いてキーキャップ１７０を上向きに復帰させると同時に、可動片１４０を左方へ復帰させる。これにより、可動接触点１３２を固定接触点１２２から離間させ、押しキースイッチ１００がオフ状態になる。この場合、可動片１４０の軟質ゴム消音体１４１が第１バランスフレーム１５０及び第２バランスフレーム１６０の上アームに衝突することで、衝突力を緩和して衝突による音を低減し、消音の目的を達成する。
【００３１】
以上より、今回開示された実施例は本発明の複数の実施形態を表すものに過ぎず、詳しく説明されたが、制限的なものではないと考えられるべきである。当業者であれば、本発明の精神から逸脱しない範囲で各種の変更や改良を行うことは、本発明の保護を求める範囲に属するものであることを理解されたい。したがって、本発明の保護範囲は特許請求の範囲の保護範囲に従う。
【図１】
2018533179.tif 000003
【図２】
2018533179.tif 000004
【図３】
2018533179.tif 000005
【図４】
2018533179.tif 000006
【図５】
2018533179.tif 000007
【図６】
2018533179.tif 000008
【図７】
2018533179.tif 000009
【図８】
2018533179.tif 000010
【図９】
2018533179.tif 000011
【図１０】
2018533179.tif 000012
【図１１】
2018533179.tif 000013
【図１２】
2018533179.tif 000014
【図１３】
2018533179.tif 000015
【国際調査報告】
2018533179.tif 000016
2018533179.tif 000017
2018533179.tif 000018
2018533179.tif 000019